(57)【要約】【課題】ホッパ２内の多数の紙葉の中から１枚ずつ取り出して搬送する給紙装置を改良して、極薄紙であってもジャムを生じないようにする。【解決手段】給紙ローラ３は、図示しないスプリング手段により、紙葉１に対して弾性的に押圧されている。本発明は、電磁ソレノイド１２を設けて、前記給紙ローラに対して上向きの力を与え、前記スプリング手段による押圧力を軽減する。ただし、上記電磁ソレノイド１２の上向きの力は、分離ローラ６が分離動作を完了した直後に、瞬間的（ミリ秒オーダー）に発生させる。本発明を適用して新設した電磁ソレノイド１２は、分離動作完了後に動作させるから、当該給紙装置の分離機能に悪影響を及ぼさない。【選択図】図１
2008273639.tif 000002
【特許請求の範囲】
【請求項１】
一時的に多数の紙葉を貯えるホッパと、紙葉を搬送する搬送ローラと、前記ホッパに貯えられている紙葉の内の最上層の紙葉を取り込む給紙ローラと、該給紙ローラを紙葉に向けて押し付けるスプリング手段と、上記給紙ローラが取り込んだ紙葉を搬送ローラに向けて送るセパレータローラと、該セパレータローラに対向して設けられ紙葉をホッパに向けて送り返す方向に回転する分離ローラとを有する給紙装置において、
前記スプリング手段の押圧力を間欠的に減少させる機構が設けられていることを特徴とする給紙装置。
【請求項２】
前記の押圧力を減少させる機構は電磁ソレノイドを有しており、
かつ、紙葉がセパレータローラに到達したことを検知する給紙検出器、及び紙葉が搬送ローラに対向する箇所に在るか否かを検知する搬送検出器、
並びに、前記給紙検出器の検出信号及び搬送検出器の検出信号を入力され、前記電磁ソレノイドに対して指令信号を与える自動制御機構が設けられていることを特徴とする、請求項１に記載した給紙装置。
【請求項３】
前記自動制御機構は、前記セパレータローラと分離ローラとによって行われる紙葉分離動作が完了した直後に、前記電磁ソレノイドをミリ秒オーダーの短時間だけ作動させる機能を有していることを特徴とする、請求項２に記載した給紙装置。
【請求項４】
前記電磁ソレノイドが給紙ローラに及ぼす力が、前記スプリング手段が給紙ローラを押圧している力よりも小さく、給紙ローラを紙葉から離間させないことを特徴とする、請求項３に記載した給紙装置。
【請求項５】
一時的に多数の紙葉を貯えるホッパと、紙葉を搬送する搬送ローラと、前記ホッパに貯えられている紙葉の内の最上層の紙葉を取り込む給紙ローラと、この給紙ローラを紙葉に向けて押し付けるスプリング手段と、上記給紙ローラが取り込んだ紙葉を搬送ローラに供給する方向に回転するセパレータローラと、このセパレータローラに対向して設けられ紙葉をホッパに向けて送り返す方向に回転する分離ローラとを有する給紙装置によって、ホッパ内の紙葉を１枚ずつ送り出す方法において、
前記セパレータローラと前記分離ローラとによって行なわれる紙葉の分離動作が完了した直後に、前記のスプリングによる押圧力を瞬間的に減少させることを特徴とする給紙方法。
【請求項６】
紙葉がセパレータローラに到達したことを検知する給紙検出器と、紙葉が搬送ローラに対向する箇所に在るか否かを検知する搬送検出器とによって紙葉の移動状態を検知し、
前記紙葉がセパレータローラに到達したことを表す検出信号に基づいて電磁ソレノイドを作動させることによって、スプリングの押圧力に対抗する力を与えることを特徴とする、請求項５に記載した給紙方法。
【請求項７】
前記電磁ソレノイドが給紙ローラに及ぼす力を、前記スプリング手段が給紙ローラを押圧している力よりも小さく制御して、給紙ローラを紙葉から離間させないことを特徴とする、請求項６に記載した給紙方法。
【発明の詳細な説明】
【技術分野】
【０００１】
本発明は、ホッパに貯えられている多数の紙葉の中から１枚ずつを分離して取り出して搬送機構に供給する給紙技術に関するものであって、特に、極薄紙を取り扱う場合に好適である。
【背景技術】
【０００２】
例えば読取機や複写機などに対して紙葉を１枚ずつ供給する場合、分離機能を備えた給紙装置が用いられる。
図６は従来例の給紙装置を模式的に描いた正面図である。
多数の紙葉１がホッパ２に貯えられている。
給紙ローラ３は、前記多数の紙葉の内、最上層の紙葉に接しており、図において右回り（時計方向）に回転して該最上層の紙葉を取り込む。
【０００３】
取り込まれた紙葉はセパレータローラ４によって更に図の左方へ送られる。符号５を付して示したのは給紙ローラ及びセパレータローラの駆動用モータである。
上記セパレータローラ４の下方に対向して分離ローラ６が設けられている。
この分離ローラ６は分離ローラ駆動モータ７により、トルクリミッタ（図において隠れている）を介して右回り（矢印ｂ方向）に、すなわち紙葉をホッパに向けて送り返す方向に回転せしめられる。
【０００４】
もし、給紙ローラ３が２枚の紙葉が重なった状態で取り込んだら、２枚の内の下方の紙葉を分離ローラ６がホッパ２へ送り返す。このようにして、紙葉が１枚ずつホッパ２から取り出され、搬送ローラ駆動モータ９によって回転駆動されている搬送ローラ８に供給される。
前記の分離ローラ６は、トルクリミッタを介して駆動されるので過大な送り返し力は生じない。紙葉が重なっていなければセパレータローラ４により、摩擦伝動で反矢印ｂ方向に回されるように構成されている。
符号１０を付して示したのは紙葉がセパレータローラ４に到達したことを検知するセンサであって、これを給紙検出器１０と名付ける。符号１１を付して示したのは紙葉が搬送ローラ８に対向する箇所に有るか無いかを検知するセンサであって、これを搬送検出器と名付ける。
【０００５】
紙葉は１枚ずつ給紙され、１枚ずつ搬送されるので、前記の搬送ローラ８は連続回転しているが、給紙ローラ３は間欠的に回転せしめられる。その回転・停止は前記の給紙検出器１０の検出信号と搬送検出器１１の検出信号とによって制御される。この従来例における上記双方の検出器は光学的センサが用いられている。
図７は従来例の給紙装置（図６）における作動タイミングチャートである。このタイミングチャートにおいて給紙検出器１０及び搬送検出器１１の「明」とは紙葉によって光路を遮られない状態すなわち紙葉が無いことを表している。
また「暗」とは紙葉によって光路を遮られている状態すなわち紙葉が有ることを表している。
【０００６】
給紙装置においては多数の紙葉を１枚ずつ、繰り返し連続的に供給するので、給紙ローラ駆動モータ５は間欠的に通電され、ＯＮ，ＯＦＦを繰り返される。また、給紙検出器１０の検出信号や搬送検出器１１の検出信号は明・暗を繰り返す。
これら検出器の検出信号において暗（紙葉有り）になった所から明（紙葉無し）になる所までの時間Ｌは、紙葉の長さ（搬送方向の長さ）に対応している。
明（紙葉無し）になった所から暗（紙葉有り）になった所までの時間Ｅは、先行の紙葉と後続の紙葉との間隔寸法に対応している。
このようなサイクルが規則的に繰り返されているので、給紙検出器１０及び搬送検出器１１の検出信号に基づいて給紙ローラ駆動モータ５をＯＮ・ＯＦＦ制御することが可能である。
【０００７】
前掲の図６に示した従来例の給紙装置の動作について、図８および図９を参照して次に説明する。
図８は、ホッパ２に貯えられている多数の紙葉の内、最上層の紙葉１ａを取り出す初期の状態である。
図示を省略したが、給紙ローラ３はスプリング手段を備えていて、下方に向けて弾性的に付勢されている。これにより、該給紙ローラ３は、最上層の紙葉１ａに対して軽く圧しつけられている。
給紙ローラ３が矢印ａ方向に回転して、最上層の紙葉１ａをホッパ２から取り出す。
【０００８】
図９は分離動作、すなわち、紙葉を１枚だけ取り出し、２枚が重なった状態で搬送ローラ８へ送り出すことのないようにする工程を示している。
分離ローラ６が矢印ｂ方向に、すなわち紙葉をホッパ２に向けて送り返す方向に回転するので、もし仮に紙葉が２枚重ねになっていれば、２枚の内で上側の紙葉はセパレータローラ４によって図の左方へ送られ、下側の紙葉は分離ローラ６によって図の右方へ送られる。
このようにして２枚重ねの紙葉は分離され、上側の１枚だけが図の左方へ送られ、搬送ローラ８に供給される。
【０００９】
給紙装置に関する先行技術には、特許文献１として挙げた特開２００６−２１９２７９号公報「給紙装置」が有る。この発明は、用紙（紙葉）の搬出を確実にし、かつ用紙の補給を容易ならしめることを目的として、ピックアップローラ（給紙ローラ）よって取り出された用紙を分離する分離爪と、該分離爪の上下動を規制する爪ロックを設けたものである。
また、特許文献２として挙げた特開２００６−１７６３０５号公報「給紙装置」は、様々な種類のシートの分離を可能ならしめることを目的として発明されたものであって、搬送ローラと分離選択部とを設け、かつ、上記の分離選択部に分離パッドを設けたものである。
しかし各種先行技術において、極薄の紙葉を取り扱う場合に発生し易いジャムについて格別に考慮し、簡単な構成でジャムの発生を有効に防止した給紙装置は未だ開発されていない。
【特許文献１】特開２００６−２１９２７９号公報
【特許文献２】特開２００６−１７６３０５号公報
【発明の開示】
【発明が解決しようとする課題】
【００１０】
図６に示した従来例の給紙装置によれば、図８、図９について説明したように、ホッパ内の多数の紙葉の中から最上層の紙葉１枚だけを取り出して供給することができる。
普通紙の場合は問題を生じないが、極薄の紙葉の場合はジャムを生じる虞れがある。その状態を以下に述べる。
前掲の図９を参照して説明した分離動作において、給紙ローラ３は紙葉１を図の左方へ送り、分離ローラ６は図の右方へ送り返す力を加える。このため、紙葉は搬送方向（図において左右方向）の圧縮力を受ける。
【００１１】
普通紙は前記の圧縮力に耐え得るが、極薄の紙葉は圧縮力に耐え得ないので、図１０に示したようにジャム１ｊを生じる。
ジャムを生じると、機械の運転を停止させて不良紙を手作業で取り除かねばならないので、手数が掛かる。
その上、給紙装置は一般に主機（例えば複写機、読取機など）も停止させることになるので、作業能率を低下させる。
【００１２】
本発明は以上に述べた事情に鑑みて為されたものであって、その目的とするところは、
極薄の紙葉であってもジャムを生じる虞れの無い、簡単な構成の給紙装置を提供するにある。
いうまでもなく本発明は、給紙装置の正常な作動を維持しつつジャムの発生を防止するものであって、本発明の適用によって紙葉の２重送りを生じる虞れなく、給紙の能率を下げるなどの悪影響を及ぼすことなく、製造コストを著しく増加させることなく、騒音や振動を生じることなく、給紙装置の操作性や安全性を妨げることなく前記の目的を達成するものである。
【課題を解決するための手段】
【００１３】
前記の目的を達成するため、本発明者はジャム発生のメカニズムを研究し、ジャム発生の根源を解消することに努めた。
（図１０参照）ジャムを生じるのは、紙葉１に対して極薄紙葉が耐え得ない縮力が掛かるからである。
しかし、給紙ローラ３が紙葉１に対して左向きの力を与えることは紙葉を取り込むために必要であり、分離ローラ６が紙葉に対して右向きの力を与えることは分離（２重送り防止）のために必要である。
【００１４】
そこで本発明は、給紙ローラ３が紙葉に与える左向きの力を軽減する。
力を軽減する具体的な方法は次の通りである。すなわち給紙ローラ３が紙葉１に与える左向きの力は摩擦力であるから、圧力×摩擦係数で表される。摩擦係数は自在に調節できないから、圧力を軽減することによって左向きの力を軽減する。
ここに、力を軽減する程度とタイミングとが重要である（詳細は以下に述べる）。
【００１５】
上述の原理に基づく具体的な構成として創作した請求項１の発明について、その１実施形態に対応する図面を参照して説明すると次の通りである。この［発明が解決しようとする課題］の説明は、図面との対照が容易なように括弧書で符号を付記してあるが、この符号は本発明の構成を限定するものではない。
請求項１の発明に係る給紙装置の構成は、
（図１参照）一時的に多数の紙葉（１）を貯えるホッパ（２）と、紙葉を搬送する搬送ローラ（８）と、前記ホッパに貯えられている紙葉の内の最上層の紙葉を取り込む給紙ローラ（３）と、該給紙ローラを紙葉に向けて押し付けるスプリング手段（図示省略）と、上記給紙ローラが取り込んだ紙葉を搬送ローラに向けて送るセパレータローラ（４）と、該セパレータローラに対向して設けられ紙葉をホッパに向けて送り返す方向に回転する分離ローラ（６）とを有する給紙装置において、
前記スプリング手段の押圧力を間欠的に減少させる機構が設けられていることを特徴とする。
【００１６】
請求項２の発明に係る給紙装置の構成は、前記請求項１の発明装置の構成要件に加えて  （図１参照）前記の押圧力を減少させる機構は電磁ソレノイド（１２）を有しており、
かつ、紙葉がセパレータローラ（４）に到達したことを検知する給紙検出器（１０）、及び紙葉が搬送ローラに対向する箇所に在るか否かを検知する搬送検出器（１１）、
並びに、前記給紙検出器の検出信号及び搬送検出器の検出信号（ｍ）を入力され、前記電磁ソレノイドに対して指令信号（ｎ）を与える自動制御機構（１３）が設けられていることを特徴とする。
【００１７】
請求項３の発明に係る給紙装置の構成は、前記請求項２の発明装置の構成要件に加えて
（図１参照）前記自動制御機構（１３）は、前記セパレータローラ（４）と分離ローラ（６）とによって行われる紙葉分離動作が完了した直後に、前記電磁ソレノイド（１２）をミリ秒オーダーの短時間だけ作動させる機能を有していることを特徴とする。
【００１８】
請求項４の発明に係る給紙装置の構成は、前記請求項３の発明装置の構成要件に加えて
（図１参照）前記電磁ソレノイド（１２）が給紙ローラ（３）に及ぼす力が、前記スプリング手段が給紙ローラを押圧している力よりも小さく、給紙ローラを紙葉（１）から離間させないことを特徴とする。
【００１９】
請求項５の発明に係る給紙方法は、
（図１参照）一時的に多数の紙葉を貯えるホッパ（２）と、紙葉を搬送する搬送ローラ（８）と、前記ホッパに貯えられている紙葉（１）の内の最上層の紙葉を取り込む給紙ローラ（３）と、この給紙ローラを紙葉に向けて押し付けるスプリング手段（図示省略）と、上記給紙ローラが取り込んだ紙葉を搬送ローラに供給する方向に回転するセパレータローラ（４）と、このセパレータローラに対向して設けられ紙葉をホッパに向けて送り返す方向に回転する分離ローラ（６）とを有する給紙装置によって、ホッパ内の紙葉を１枚ずつ送り出す方法において、
前記セパレータローラ（４）と前記分離ローラ（６）とによって行なわれる紙葉の分離動作が完了した直後に、前記のスプリングによる押圧力を瞬間的に減少させることを特徴とする。
【００２０】
請求項６の発明に係る給紙方法は、前記請求項５の発明方法の構成要件に加えて、
（図１参照）紙葉（１）がセパレータローラ（４）に到達したことを検知する給紙検出器（１０）と、紙葉が搬送ローラ（８）に対向する箇所に在るか否かを検知する搬送検出器（１１）とによって紙葉の移動状態を検知し、
前記紙葉がセパレータローラに到達したことを表す検出信号に基づいて電磁ソレノイド（１２）を作動させることによって、スプリングの押圧力に対抗する力を与えることを特徴とする。
【００２１】
請求項７の発明に係る給紙方法は、前記請求項６の発明方法の構成要件に加えて、
（図１参照）前記電磁ソレノイド（１２）が給紙ローラ（３）に及ぼす力を、前記スプリング手段が給紙ローラを押圧している力よりも小さく制御して、給紙ローラを紙葉（１）から離間させないことを特徴とする。
【発明の効果】
【００２２】
請求項１の発明装置を適用すると、スプリング手段の押圧力を間欠的に減少させることができるので、給紙ローラが紙葉に押し付けられている力を間欠的に減少させることができる。給紙ローラの押し付け力が減少すると摩擦力が減少し、紙葉に与えられる圧縮力が軽減される。
圧縮力の軽減によって、極薄の紙葉を取り扱う場合でも該極薄の紙葉に撓み（しわ）を生じなくなり、ジャムが防止される。
上述した作用効果の原理から理解されるように、本発明の適用によって給紙装置本来の機能が阻害されたり、作業能率が低下したり、振動，騒音を発したり、危険を伴うなどの不具合を生じる虞れは無い。
【００２３】
請求項２の発明装置を、前記請求項１の発明装置に併せて適用すると、
給紙検出器の検出信号と搬送検出器の検出信号とに基づいて自動制御機構が電磁ソレノイドを作動させるので、適正なタイミングで電磁ソレノイドを作動することができる。
その上、アクチュエータが電磁的に作動する機器であるから、タイムラグ無く、鋭敏に反応し得る。
【００２４】
請求項３の発明装置を、前記請求項２の発明装置に併せて適用すると、
電磁ソレノイドによる給紙ローラの押圧力軽減が、紙葉分離動作完了後に行なわれるので、本発明の適用によって紙葉分離動作が妨げられる虞れが無い。しかも、給紙ローラの押圧力軽減がミリ秒単位の短時間で終わるので、次のサイクルの給紙作動に影響を及ぼさず、給紙装置の作業能率に悪影響を及ぼさない。
【００２５】
請求項４の発明装置を、前記請求項３の発明装置に併せて適用すると、
紙葉に対する給紙ローラの押圧力軽減が過度になる虞れが無い。上記給紙ローラは、ホッパ内に収納されている多数の紙葉が崩れないように支える役目も兼ねているので、押圧力がゼロになると紙葉の堆積が乱れて給紙動作に悪影響を及ぼす。しかし本請求項４の適用によって紙葉の整列が維持される。
【００２６】
請求項５の発明方法を適用すると、紙葉の分離動作が完了した後にスプリング手段の押圧力を瞬間的に減少させることができるので、給紙ローラが紙葉に押し付けられている力が瞬間的に減少し、この微小時間の間に紙葉伸しわが復元し、ジャムの発生が未然に防止される。    
上述した作用効果の原理から理解されるように、本発明方法の適用によって給紙装置本来の機能が阻害されて作業能率が低下したり、振動，騒音を発したり、危険を伴うなどの不具合を生じる虞れは無い。
【００２７】
請求項６の発明方法を、前記請求項５の発明方法に併せて適用すると、
紙葉の移動を電気的に検知し、電磁力によって給紙ローラの押圧力を軽減させるので、高速で作動する給紙装置に適用しても、適正なタイミングで動作し、給紙動作に悪影響を及ぼすことなく、しかも確実にジャムの発生を防止することができる。
【００２８】
請求項７の発明方法を、前記請求項６の発明方法に併せて適用すると、紙葉に対する給紙ローラの押圧力軽減が過度になる虞れが無い。上記給紙ローラは、ホッパ内に収納されている多数の紙葉が崩れないように支える役目も兼ねているので、押圧力がゼロになると紙葉の堆積が乱れて給紙動作に悪影響を及ぼす。しかし本請求項７の適用によって紙葉の整列が確実に維持される。
【発明を実施するための最良の形態】
【００２９】
図１本発明装置の１実施形態を模式的に描いた正面図である。
本実施形態は、前掲の図６に示した従来例の給紙装置に本発明を適用して改良した１例である。
本図１が図６（従来例）に比して異なる点、すなわち本発明を適用して改良した事項を抽出すると次のごとくである。
図６（従来例）においても、図１（実施形態）においても、給紙ローラ３は図示しないスプリング手段によって紙葉１に向けて押圧されている。
本実施形態においては、上記スプリング手段の押圧力に対抗して該押圧力を減殺する電磁ソレノイド１２が設けられている。
【００３０】
給紙検出器１０および搬送検出器１１の検出信号ｎは自動制御機構１３に入力され、該自動制御機構１３は予め与えられたプログラムに従って電磁ソレノイド１２に対して指令信号ｍを与える。
本例の電磁ソレノイド１２はプルソレノイド型であり、指令信号ｎを受けると給紙ローラ３に対して引き上げ方向の力を与える。しかし、電磁ソレノイド１２が給紙ローラ３に及ぼす力は、スプリング手段による押圧力よりも小さく、該給紙ローラ３を浮き上がらせることのないように構成されている。
【００３１】
本発明を実施する場合、電磁ソレノイド１２はプルソレノイド型に限らず任意の形式の機器を用いることができる。また、電磁ソレノイド１２と給紙ローラ３との間にレバーやギア（共に図示せず）を介在させることもできる。しかし、いずれの場合であっても、電磁力がスプリング手段の押圧力を凌駕して給紙ローラ３を浮き上がらせることの無いようにする。その理由は次のとおりである。
図に描かれているように、ホッパ２には多数の紙葉１を積み上げて供給されている。
給紙ローラ３は、積層された多数の紙葉がホッパの斜面によって滑り崩れないように抑える役目を兼ねている。この役目を守らせるためには、該給紙ローラ３を浮き上がらせてはならない。
【００３２】
前掲の図１０は、従来例においてジャム１ｊを生じている状態を描いたものであるが、
この図を援用してジャムの発生メカニズムを復習すると、
給紙ローラ３が紙葉１を左方へ送ろうとし、分離ローラ６が紙葉１を右方へ送り返そうとして、該紙葉に対して左右方向の圧縮力を与えたからである。
本発明の適用により、給紙ローラ３が紙葉１に押し付けられている力を軽減させると、
該給紙ローラ３が紙葉を左方へ送ろうとする摩擦力が軽減される。
極薄の紙葉であっても、それが耐え得る範囲内の圧縮力であればジャムを生じる虞れが無い。
【００３３】
紙葉に圧縮力を与えていた分離ローラ６は、紙葉の２重送りを防止するという大事な役目を受け持っている。
本実施形態においては、後に詳述するように、該分離ローラ６が紙葉の分離動作を完了した直後に電磁ソレノイド１２を駆動して給紙ローラ３の押圧力を軽減する。従って、本発明の適用により紙葉の２重送り防止作用が妨げられる虞れは無い。
【００３４】
次に、図２〜図４を参照して前記実施形態（図１）の給紙装置の作動を説明する。
図２に描かれている状態は、先行の紙葉１ｂが搬送検出器１１の検知点を通過し終えた直後である。
先行の紙葉を搬送機構（搬送ローラ８）へ引き渡し終えたことを検知して、給紙・セパレータローラ駆動モータ５が作動し、給紙ローラ３を矢印ａ方向に回転させて最上層の紙葉１ａを取り込みつつある。
【００３５】
図３の状態で、紙葉１の前端がセパレータローラ４と分離ローラ６とに挟まれている。
セパレータローラ４が矢印ａ′のように紙葉を左方へ送る力を与え、分離ローラ６は矢印ｂにように紙葉を右方へ送り返す力を与え、ここで分離作用が発揮される。このようにして分離動作が完了した直後に、瞬間的（本例では２０ｍｓ）に電磁ソレノイド１２に通電されて、瞬時的な電磁付勢力Ｆを発生し、これにより給紙ローラ３の押圧力が瞬時的に軽減される。
本発明を実施する場合、上記の瞬間的通電時間は１０〜３０ｍｓが望ましい。この時間は、極薄紙の撓み解放に必要かつ充分な時間を目標とし、該極薄紙の物理的性状に応じて設定される。
【００３６】
図４の状態では、紙葉１の前端が給紙検出器１０の検知点を通過し終えている。
前掲の図３で説明した電磁ソレノイド１２の瞬間的な付勢力Ｆ発生時間（２０ｍｓ）は経過して、該電磁ソレノイドが設置されていないのと同様に稼働している。
このように、本発明の適用は給紙装置本来の動作を乱したり妨げたりすることが無く、
その作業能率を低下させることも無く、極薄紙のジャム発生を未然に、かつ完全に防止することができる。
【００３７】
図５は前記実施形態のタイミングチャートである。
従来例のタイミングチャートを描いた図７と比較して考察すると、本実施形態における給紙検出器１０の作動タイミング、及び搬送検出器１１の作動タイミング、並びに、これに対応する給紙・セパレータローラ駆動モータ５の作動タイミングは従来例（図７）と同様である。
本発明においては、電磁ソレノイド１２が設けられているところに特徴が有る。
【００３８】
前述した作動から理解し得るように、電磁ソレノイドのＯＮとは、紙葉に対する給紙ローラ３の押圧力が軽減されることを意味し、電磁ソレノイドのＯＦＦとは給紙ローラの押圧力が軽減されていないことを意味する。
紙葉に対する給紙ローラの押圧力が軽減されなければ、該給紙ローラはスプリング手段によって、従来例におけると同様に押圧されている。
【００３９】
多数の紙葉が一定のサイクルで送られているので、給紙検出器１０及び搬送検出器１１の検出信号も、給紙・セパレータローラ駆動モータ５の駆動電流も、一定のサイクルで間欠的にオンオフしている。
給紙・セパレータローラ駆動モータ５がＯＮされると、即時的に給紙ローラが作動して紙葉が取り込まれ、常時回転している分離ローラによって分離作用が行われる。この分離動作が終わった瞬間に、本発明を適用して設けられた電磁ソレノイド１２が通電されて、紙葉に対する給紙ローラ３の押圧力が軽減される。
【００４０】
本発明において「スプリング手段の押圧力を間欠的に減少させる」の「間欠的に」とは実質的に「紙葉の取込・搬送のサイクルに合わせて」という意味である。
本発明を実施する際、給紙検出器１０が設置されている位置や、制御処理のおくれ時間
や、分離動作に伴う振動が安定する時間（いずれも、通常数１０ｍｓ程度）を勘案して、適宜にタイミングチャートを設計することが望ましい（実際の稼働条件は変化の範囲が非常に広いので一概に数値限定することは困難である）。
【図面の簡単な説明】
【００４１】
【図１】本発明に係る給紙装置の１実施形態を示し、制御系統を付記した模式的な正面図
【図２】前記実施形態の給紙装置における給紙ローラの作動を説明するための模式的な正面図
【図３】前記実施形態の給紙装置における分離作動と電磁ソレノイドによる押圧力軽減作動の開始とを説明するための模式的な正面図
【図４】前記実施形態の給紙装置における電磁ソレノイドによる押圧力軽減作動の停止を説明するための模式的な正面図
【図５】前記実施形態の給紙装置における給紙検出器の検出信号と、搬送検出器の検出信号と、給紙ローラ駆動モータのオンオフ作動と、電磁ソレノイドのオンオフ作動との関係を描いたタイミングチャート
【図６】従来例の給紙装置の概要的な正面図に、主要構成部材の回転を表す円弧矢印を付記した図
【図７】前記従来例の給紙装置における給紙検出器と搬送検出器と給紙ローラ駆動モータとの作動タイミングチャート
【図８】前記従来例の給紙装置における給紙ローラの作動を説明するための模式的な正面図
【図９】前記従来例の給紙装置における分離ローラの作動を説明するための模式的な正面図
【図１０】前記従来例の給紙装置におけるジャムの発生状態とその原因を説明するための模式的な正面図
【符号の説明】
【００４２】
１…紙葉
１ａ…最上層の紙葉
１ｂ…先行の紙葉
１ｊ…ジャム
２…ホッパ
３…給紙ローラ
４…セパレータローラ
５…給紙・セパレータローラ駆動モータ
６…分離ローラ
７…分離ローラ駆動モータ
８…搬送ローラ
９…搬送ローラ駆動モータ
１０…給紙検出器
１１…搬送検出器
１２…電磁ソレノイド
１３…自動制御機構
【図１】
2008273639.tif 000003
【図２】
2008273639.tif 000004
【図３】
2008273639.tif 000005
【図４】
2008273639.tif 000006
【図５】
2008273639.tif 000007
【図６】
2008273639.tif 000008
【図７】
2008273639.tif 000009
【図８】
2008273639.tif 000010
【図９】
2008273639.tif 000011
【図１０】
2008273639.tif 000012